(57)【特許請求の範囲】
【請求項１】
一端が開放されたヘッド本体の他端が閉鎖部で閉じられていて、かつ、前記ヘッド本体の内周に周方向に連続して設けられた加工凸部と前記閉鎖部との間に、円形で前記加工凸部の最大径と同径以上の円形の内周面で区画された第１空間を有するとともに、前記加工凸部と前記ヘッド本体の開放された一端との間に円形で前記加工凸部の最大径と同径以上の円形のリング装着面で区画された第２空間を有したヘッド素材に対して、前記第２空間から前記加工凸部を横切って前記第１空間に至る加工部材により、第１係合部位を前記加工凸部に加工して、異形形状の回転力伝達部が形成された竜頭ヘッドを用意するとともに、
軸主部及びこの軸主部の一端部外周から一体に張り出す円形の軸端部を有した竜頭軸素材に対して、前記竜頭軸素材の軸方向に移動されて前記軸端部の外周部を横切る加工部材により前記軸端部の外周部に前記内周面に内接するような第２係合部位を加工して、前記回転力伝達部が着脱可能に嵌合される形状の回転力受け部が形成された竜頭軸を用意し、
かつ、リング素材の内周部を横切ってこのリング素材を軸方向に貫通する加工部材により加工して、前記回転力受け部より小径な雌ねじ部を有して形成されたねじリングを用意し、
前記竜頭ヘッドの閉鎖部と前記竜頭軸との間に弾性体を圧縮状態に挟みながら、前記竜頭ヘッドを前記竜頭軸に被せて前記回転力受け部を前記第１空間に収め、
この後、前記ねじリングを前記第２空間に圧入して、前記リング装着面に前記ねじリングを装着することを特徴とする携帯時計が備える竜頭の製造方法。
【発明の詳細な説明】
【技術分野】
【０００１】
本発明は、ねじの噛み合いを利用して竜頭が不用意に回転されないように保持される携帯時計及びこの時計が備える竜頭の製造方法に関する。
【背景技術】
【０００２】
従来、携帯時計の中には、ねじの噛み合いを利用して竜頭が不用意に回転されないように保持するためのねじロック構造を備えたものがある。ねじロック構造では、竜頭が、巻真を連動する竜頭軸と、この軸を回転させる竜頭ヘッドを具備する。そして、竜頭軸の軸端部を、雄ねじ部を有して胴に固定されたパイプの外に配置している。これとともに、軸端部の周部に異形形状の回転力受け部を形成し、竜頭ヘッドに雌ねじ部及び異形形状の回転力伝達部を設けている。
【０００３】
回転力伝達部は、雌ねじ部より大径で、雌ねじ部に連続して形成されている。そのため、回転力伝達部を加工する必要から、竜頭ヘッドは、胴側を向く一端が開口されたヘッド本体と、このヘッド本体とは別部品のキャップとで形成され、キャップはヘッド本体の他端を塞いで装着されている。
【０００４】
この時計で、雌ねじ部は雄ねじ部に着脱可能に噛合わされ、その噛み合いにより竜頭を不用意に回転されないように保持できる。回転力伝達部は回転力受け部に着脱可能である。つまり、雌ねじ部が雄ねじ部に噛合わされたねじロック状態では、回転力伝達部は回転力受け部から離れている。雌ねじ部と雄ねじ部との噛合わせが解除されてねじロックが外された状態では、竜頭ヘッドが弾性体の付勢力で移動されるに伴い、回転力伝達部が回転力受け部に嵌合される。そのため、ねじロックが外された状態で竜頭ヘッドが回転操作されると、嵌合している回転力伝達部及び回転力受け部を介して竜頭軸に回転が伝えられて、巻真を回転させることができる（例えば、特許文献１参照。）。
【特許文献１】特開２００５−１２７８１６号公報（段落００１１−００５５、図１−図５）
【発明の開示】
【発明が解決しようとする課題】
【０００５】
特許文献１の時計では、ねじロック状態を得るために竜頭ヘッドの雌ねじ部をパイプの雄ねじ部に噛合わせる回転操作の際に、巻真が連動して回されないので、ねじロック操作を軽くできる利点がある。
【０００６】
しかし、ねじロックを外す際、雌ねじ部と雄ねじ部の噛み合いが外れてから回転力伝達部が回転力受け部に係合されるまでの間、竜頭ヘッドは、支持されず、ぐらつく可能性がある。そのため、竜頭ヘッドの操作が不安定になり、回転力受け部に対して回転力伝達部が円滑に係合できなくなることがある。更に、同様な理由により、ねじロック状態とするのに、雌ねじ部を雄ねじ部に噛み合わせる際にも、竜頭ヘッドが不安定であると、前記噛み合わせを円滑にできないことがあり、この状態で使用者が無理に螺合させてしまうと、ねじ部が損傷する恐れが考えられる。
【０００７】
又、特許文献１の時計では、回転力伝達部より小径でかつ竜頭ヘッドと一体の雌ねじ部が、回転力伝達部に連続して設けられている。これにより竜頭ヘッドの内側に異形形状の回転力伝達部を形成する場合、その加工に対して雌ねじ部が邪魔になる。そのため、シェーパーを用いた加工ができない。これとともに、プレスを用いた加工をする場合に打ち抜き加工ができない。このように量産性に適する加工を選択できないので、回転力伝達部の加工には特別の工夫が必要であるとともに、回転力伝達部を精度良く加工でき難い恐れが考えられる。
【０００８】
本発明の第１の目的は、ねじロックが解除された状態での竜頭ヘッドの操作性を向上できる携帯時計を提供することにある。又、本発明の第２の目的は、第１の目的を達成する上で使用される竜頭の竜頭ヘッドが有する回転力伝達部の加工性を向上できる携帯時計が備える竜頭の製造方法を提供することにある。
【課題を解決するための手段】
【００２１】
本発明の携帯時計が備える竜頭の製造方法は、一端が開放されたヘッド本体の他端が閉鎖部で閉じられていて、かつ、前記ヘッド本体の内周に周方向に連続して設けられた加工凸部と前記閉鎖部との間に、円形で前記加工凸部の最大径と同径以上の円形の内周面で区画された第１空間を有するとともに、前記加工凸部と前記ヘッド本体の開放された一端との間に円形で前記加工凸部の最大径と同径以上の円形のリング装着面で区画された第２空間を有したヘッド素材に対して、前記第２空間から前記加工凸部を横切って前記第１空間に至る加工部材により、第１係合部位を前記加工凸部に加工して、異形形状の回転力伝達部が形成された竜頭ヘッドを用意するとともに、軸主部及びこの軸主部の一端部外周から一体に張り出す円形の軸端部を有した竜頭軸素材に対して、前記竜頭軸素材の軸方向に移動されて前記軸端部の外周部を横切る加工部材により、前記軸端部の外周部に前記内周面に内接するような第２係合部位を加工して、前記回転力伝達部が着脱可能に嵌合される形状の回転力受け部が形成された竜頭軸を用意し、かつ、リング素材の内周部を横切ってこのリング素材を軸方向に貫通する加工部材により加工して、前記回転力受け部より小径な雌ねじ部を有して形成されたねじリングを用意する。そして、前記竜頭ヘッドの閉鎖部と前記竜頭軸との間に弾性体を圧縮状態に挟みながら、前記竜頭ヘッドを前記竜頭軸に被せて前記回転力受け部を前記第１空間に収める。この後、前記ねじリングを前記第２空間に圧入して、前記リング装着面に前記ねじリングを装着する。
【００２２】
この発明では、竜頭ヘッドとなるヘッド素材が、その内周に周方向に連続して設けられた加工凸部の両側に、第１空間と第２空間を有していて、第１空間が形成するリング装着面及び第２空間が形成する内周面の径を、加工凸部の最大径と同径以上としたから、ヘッド素材の加工凸部に第１係合部位を加工して回転力伝達部を形成する際、第１係合部位を加工する加工部材が加工凸部を横切って通り抜けることを、リング装着面及び内周面が妨げることがない。このため、シェーパーを用いた加工又プレスを用いた打ち抜き加工によって、竜頭ヘッドに回転力伝達部を加工できる。
【発明の効果】
【００２４】
本発明の携帯時計が備える竜頭の製造方法によれば、竜頭ヘッドに対して、シェーパーを用いた加工又プレスを用いた打ち抜き加工によって回転力伝達部を加工できるので、竜頭ヘッドの回転力伝達部の加工性を向上できる。
【発明を実施するための最良の形態】
【００２５】
（第１実施形態）
図１〜図７を参照して本発明の第１実施形態を説明する。
【００２６】
図１中符号１０は携帯時計としての腕時計を示している。この腕時計１０は時計外装組立１１内に図２及び図３に示すように文字板１２及び図示しない時計ムーブメント１３等を収容している。時計ムーブメント１３には、ぜんまいを動力源にした手動巻き型、又は自動巻き型、若しくはこれら手動巻きと自動巻きとを併用した型の機械式の時計ムーブメントが用いられている。なお、これに代えて、文字板１２上での時刻表示等をデジタル表示とアナログ表示とを選択して切換えることができる型の時計ムーブメントを使用することもできる。
【００２７】
図２及び図３に示すように時計外装組立１１は、環状をなす金属製の胴１４の厚み方向一面からなる正面に、カバーガラス１５を液密に装着するとともに、胴１４の厚み方向他面からなる裏面に、金属等からなる裏蓋１６を液密に螺着して形成されている。カバーガラス１５を通して文字板１２は視認可能である。裏蓋１６は取外し可能である。なお、図１〜図３中符号１８は時計外装組立１１に回転操作可能に取付けられた環状のベゼルを示している。ベゼル１８は、一定角度ずつ回転でき、弾性変形が可能でベゼル１８に係脱される保持部材１９により、任意の回転位置に保持されるようになっている。ベゼル１８及び保持部材１９は省略可能である。
【００２８】
図２及び図３に示すように胴１４の一部には、この胴１４を径方向に貫通するパイプ取付け孔１７が開けられている。パイプ取付け孔１７の一端は、胴１４で囲まれた胴内空間１４ａに開口され、パイプ取付け孔１７の他端は、胴１４の外側面１４ｂに開口されている。
【００２９】
胴１４には、胴外側からパイプ取付け孔１７に挿入してパイプ２１がろう付け等により取付けられている。図２及び図３中符号２２はろう材を示している。金属製、例えばステンレス鋼製のパイプ２１は、円筒状でその軸方向両端が夫々開放しているとともに、胴１４の外部に配置されるパイプ端部２１ａを備え、このパイプ端部２１ａの外周に竜頭３１をねじロック状態に保持するための雄ねじ部２４を有している。
【００３０】
パイプ端部２１ａは胴１４から離れる方向に雄ねじ部２４に連続する挿入部位２５を有している。挿入部位２５は図３に示すようにねじロックが外された状態でも後述するねじリング３４に挿入される長さを有している。この挿入部位２５の外径は、雄ねじ部２４の径より小さいとともに、後述する雌ねじ部４３にその内側から接する（内接）するような径となっている。
【００３１】
竜頭３１は、竜頭軸３２と、竜頭ヘッド３３と、ねじリング３４と、弾性体例えばコイルばね３５とを備えている。
【００３２】
竜頭軸３２は、例えば金属製好ましくはステンレス製であって、図２及び図３に示すようにパイプ２１内に胴１４の外部から挿入される円柱状の挿入軸部３２ａと、この挿入軸部３２ａと一体に連続してパイプ２１の外部に配置される軸端部からなる回転力受け部３２ｂとを有している。
【００３３】
回転力受け部３２ｂは挿入軸部３２ａの端部外周から円形に張り出している。この回転力受け部３２ｂの径は雄ねじ部２４の外径以上に大きい。この回転力受け部３２ｂの外径は後述する内周面４６に内接する、つまり、竜頭ヘッド３３の内側から内周面４６に接するような大きさとしてあり、それによって、回転力受け部３２ｂは竜頭ガイドを兼ねている。
【００３４】
そのために、回転力受け部３２ｂは、その外周部に回転力を受けるための係合を担う第１係合部位を有して異形形状をなしている。具体的には、図４に示すように回転力受け部３２ｂの周部に外向きに突出されるとともに、前記周部の周方向に好ましくは連続して並ぶ複数の歯（第１係合部位）３６が作られたセレーションを有して、外歯歯車形状の回転力受け部３２ｂが形成されている。図４の例では、三角歯セレーションとしてあるが、これには制約されない。回転力受け部３２ｂの歯３６は角形等のスプラインでもよい。
【００３５】
竜頭軸３２には、その挿入軸部３２ａの先端側から軸方向に沿って切り込まれたねじ穴３７が設けられているとともに、回転力受け部３２ｂの端面中央部に開放するばね収容穴３８が設けられている。
【００３６】
時計ムーブメント１３に竜頭３１の回転力を伝達する巻真３９が、挿入軸部３２ａのねじ穴３７に胴内側からねじ込まれている。これにより互いに連結された巻真３９と竜頭軸３２とは軸方向には動くことができない。挿入軸部３２ａの先端部外周に形成された環状凹部にはゴム等の弾性材料からなる環状の防水パッキン４０が装着されている。この防水パッキン４０は前記環状凹部及びパイプ２１の内周に弾性的に密接しており、これにより、パイプ２１の内周と竜頭軸３２との間が防水されている。
【００３７】
竜頭ヘッド３３は、例えばステンレス鋼等金属製であって、図２及び図３に示すように一端が開放されたヘッド本体４１と、このヘッド本体４１の他端を閉じた閉鎖部４２を有してキャップ状に形成されている。ヘッド本体４１と閉鎖部４２は好ましい例として一体である。これにより、ヘッド本体４１と閉鎖部４２との間に合わせ目がないので、合わせ目がある場合に比較して、竜頭３１の操作において指の接触感に悪影響を与えることがないとともに、竜頭３１の外観も向上できる。
【００３８】
図２に示すようにヘッド本体４１は、雄ねじ部２４及び挿入部位２５を収容できる大きさをなす円筒状に形成され、その外周に回転操作のすべり止めのための凹凸４１ａ（図４及び図５参照）を有している。ヘッド本体４１の開放された一端４１ｂは、胴１４の外側面１４ｂに接離するようになっている。
【００３９】
ヘッド本体４１は、その内周に回転力伝達部４４と、この回転力伝達部４４の両側に設けられたリング装着面４５及び内周面４６を有している。
【００４０】
回転力伝達部４４はヘッド本体４１の軸方向中間部に設けられている。この回転力伝達部４４は、竜頭ヘッド３３の軸方向移動に伴って回転力受け部３２ｂに着脱可能に嵌合される部位であって、回転力受け部３２ｂの第１係合部位と相似形状、したがって、本実施形態の場合には図４及び図５に例示するように回転力伝達部４４は異形形状をなしている。具体的には、ヘッド本体４１の内周からこのヘッド本体４１の中心部に向けて突出されるとともに、回転力を伝達するための係合に担う前記内周の周方向に好ましくは連続して並ぶ複数の歯（第２係合部位）４４ａで作られたセレーションを有して、内歯歯車形状の回転力伝達部４４が形成されている。図４及び図５の例では、三角歯セレーションとしてあるが、これには制約されない。回転力伝達部４４の歯４４ａは角形等のスプラインでもよい。
【００４１】
リング装着面４５は、回転力伝達部４４からヘッド本体４１の一端４１ｂ側の内周部位で形成されている。図５に示すようにリング装着面４５は円形である。このリング装着面４５の径は、回転力伝達部４４の最大径以上となっている。ここに、回転力伝達部４４の最大径とは、セレーションで作られた歯４４ａの歯底を通る円を指しており、本実施形態では好ましい例としてリング装着面４５は前記歯底円より大径に形成されている。
【００４２】
内周面４６は、回転力伝達部４４からヘッド本体４１の閉鎖部４２側の内周部位で形成されている。内周面４６は円形であり、この内周面４６の軸方向の長さＡ（図３参照）は、胴１４の外側面１４ｂを基準とした竜頭ヘッド３３の軸方向移動距離Ｂ（図３参照）以上である。この内周面４６の径は、回転力伝達部４４の最大径（前記歯底円）以上で、かつ、内周面４６が回転力受け部３２ｂの各歯３６に外接する、つまり、回転力受け部３２ｂの外側から各歯３６に接するような径となっていて、本実施形態では回転力伝達部４４の前記歯底円の径と同径である。
【００４３】
図７等に示すねじリング３４は、例えば金属製であって、その内周に竜頭３１のねじロック状態を得るために雄ねじ部２４に取外し可能に噛合わされる雌ねじ部４３を有している。ねじリング３４の内径、つまり、雌ねじ部４３の呼び径は、回転力受け部３２ｂより小径であるとともに、挿入部位２５の外周に外側から接する（外接）するように大きさである。ねじリング３４の外径はリング装着面４５の径と略同じである。このねじリング３４は、回転力伝達部４４とリング装着面４５とが作る環状の段部３３ａ（図６参照）に当たるまでヘッド本体４１に圧入することによって、リング装着面４５に装着されている。したがって、この装着により、ねじリング３４は回転力伝達部４４に対して前記一端４１ｂ側に隣接して配置されている。
【００４４】
コイルばね３５は、竜頭軸３２のばね収容穴３８に収容されて、この収容穴３８に対向した閉鎖部４２の中央部と竜頭軸３２との間に挟まれている。このコイルばね３５は、竜頭ヘッド３３を胴１４の外側面１４ｂから離れる方向に常に付勢している。
【００４５】
以上の構成を備えた腕時計１０において、竜頭３１が引出されない位置に配置されている状態（一般に「零段」と通称されている。）は、図２に示されている。この「零段」では、竜頭３１の雌ねじ部４３がパイプ２１の雄ねじ部２４に噛合わされているとともに、ヘッド本体４１の一端４１ｂ及びねじリング３４が胴１４の外側面１４ｂに接して、竜頭３１が胴１４に位置決めされている。
【００４６】
これとともに、竜頭軸３２の挿入部位２５がねじリング３４を挿通しており、この挿入部位２５の外周に竜頭ヘッド３３の回転力伝達部４４が対向している。更に、回転力伝達部４４は、竜頭軸３２の回転力受け部３２ｂに対して胴１４の外側面１４ｂ方向に離れていて、竜頭ヘッド３３の回転力受け部３２ｂと竜頭軸３２の回転力伝達部４４とは結合関係を有していない状態に保持されている。この状態で、回転力受け部３２ｂは竜頭ヘッド３３の閉鎖部４２の内面に接近して配置されていて、その各歯３６の先端が、竜頭ヘッド３３の内周面４６に内接するように位置されている。したがって、回転力受け部３２ｂは竜頭ヘッド３３を内側から支持している。
【００４７】
以上のように「零段」では竜頭３１がねじロックされた状態にある。この状態では、雄ねじ部２４と雌ねじ部４３が噛み合っている。このため、竜頭ヘッド３３の閉鎖部４２と竜頭軸３２の間にコイルばね３５が強く圧縮された状態にあって、竜頭ヘッド３３が胴１４から離れる方向に付勢されているにも拘らず、竜頭ヘッド３３は軸方向に動かされることがない。
【００４８】
時計ムーブメント１３の時刻合わせをする場合、ねじロック状態にある竜頭ヘッド３３は、「１段」と通称される位置に引出されて回転操作される。すなわち、まず、竜頭ヘッド３３を緩み方向に回転させて、その雌ねじ部４３をパイプ２１の雄ねじ部２４から外した状態とする。この場合、竜頭ヘッド３３と竜頭軸３２とは結合関係を有していないので、噛合いを外す竜頭ヘッド３３の回転操作に伴って、竜頭軸３２が竜頭ヘッド３３に連動して回転されることはない。
【００４９】
前記ねじ部の噛合いが外されると同時に、コイルばね３５のばね力（付勢力）で、竜頭ヘッド３３が、竜頭軸３２の軸方向に沿って胴１４の外側面１４ｂから離れるように移動される。
【００５０】
この竜頭ヘッド３３の軸方向移動に伴い竜頭軸３２と竜頭ヘッド３３とが連結される。つまり、内歯歯車形状をなした回転力伝達部４４が、外歯歯車形状をなした回転力受け部３２ｂに嵌合されて、竜頭軸３２と竜頭ヘッド３３とが軸回りに回転を連動することができるように結合される。
【００５１】
これと同時に、雌ねじ部４３を有したねじリング３４が、回転力受け部３２ｂの胴１４側の側面に当たるので、この回転力受け部３２ｂをストッパとして、竜頭ヘッド３３の軸方向移動が規制され、竜頭ヘッド３３が外れ止めされる。この規制により、前記結合、言い換えれば、第１係合部位と第２係合部位との係合が維持されるとともに、ねじロック状態が解除された竜頭３１が、図３に示すように「１段」と通称される引出し位置に保持される。これとともに、ねじリング３４が竜頭軸３２の挿入部位３５に嵌合して外接されるように配置される。
【００５２】
前記竜頭軸３２と竜頭ヘッド３３との連結において、竜頭ヘッド３３を若干回転させる手間を必要とする場合がある。回転力伝達部４４の歯４４ａと回転力受け部３２ｂの歯３６はセレーションで形成されている。このため、既述のように歯３６と歯４４ａを噛み合わせるのに前記手間が必要となった場合、その回転量が歯の少なくとも１ピッチ分で済む。このようにねじロックが解除された状態で、回転力伝達部４４を回転力受け部３２ｂの外周部に噛み合わせる竜頭ヘッド３３の操作性がよい。
【００５３】
以上説明した竜頭ヘッド３３の引出し位置（図３参照）で、竜頭３１の竜頭ヘッド３３を手動で回転させることにより、この竜頭ヘッド３３の回転が、回転力伝達部４４及び回転力受け部３２ｂを介して竜頭軸３２に伝えられる。これに伴い巻真３９を介して時計ムーブメント１３に回転力が与えられるので、この時計ムーブメント１３の時刻合わせ等の調整を行うことができる。
【００５４】
この調整後に竜頭３１は再びロック状態（図２参照）とされる。このねじロック状態を得る操作は、まず、竜頭ヘッド３３をコイルばね３５に抗して胴１４方向に押し戻した後に、この竜頭３１が有したねじリング３４の雌ねじ部４３を、締め付け方向に回転させて、パイプ２１の雄ねじ部２４にねじ込むことで実施される。これにより、竜頭ヘッド３３の一端４１ｂ及びねじリング３４が胴１４の外側面１４ｂに当接するので、腕時計１０の携帯時等に竜頭３１が不用意に回転されないように竜頭３１をねじロック状態とすることができる。
【００５５】
このねじロック状態を得る前記操作においては、始めに、竜頭ヘッド３３が胴１４方向に押し戻されるに伴い、回転力受け部３２ｂから回転力伝達部４４が外れるので、竜頭ヘッド３３と竜頭軸３２との連結が解除される。そして、この後に、竜頭ヘッド３３が回転操作されることで、雌ねじ部４３が雄ねじ部２４に噛合わされる。
【００５６】
このように竜頭ヘッド３３を締め付け方向に回転させて行われるねじロック操作は、竜頭ヘッド３３と竜頭軸３２とが連結されていない状態で行われるので、この竜頭ヘッド３３の締め付け方向の回転が竜頭軸３２に伝えられることがない。
【００５７】
以上のようにねじロック状態を得るための既述のねじロック操作に伴って、竜頭軸３２が回転して、機械式の時計ムーブメント１３に回転が伝えられることがないので、ねじロック操作において、時計ムーブメント１３が有するぜんまいばねが負荷となることが防止される。したがって、例えばぜんまいばねがかなり巻き上がっている状態であっても、竜頭３１のねじロック操作を軽く行うことができ、操作性が良い。
【００５８】
なお、時計ムーブメント１３が、機械式ではなく、「零段」位置に配置された竜頭３１で動作モードを変更させる機能を有したものである場合には、既述のように時計ムーブメントに対して竜頭３１のねじロック操作に伴い回転力が波及することが防止されるので、動作モードが不用意に変更されることがない。
【００５９】
又、既述のようにぜんまいばねを有する機械式の時計ムーブメント１３でのねじロック操作を軽く行えることに伴い、過度の回転操作力が雄ねじ部２４と雌ねじ部４３に加えられることもないので、これらのねじ部２３、４３の耐久性を向上することができる。
【００６０】
更に、既述のようにねじロック操作の際及びねじロック状態を解除する際の竜頭ヘッド３３の軸方向移動に拘らず、竜頭軸３２は軸方向に移動されることがない。このため、巻真３９と竜頭軸３２とに、竜頭軸３２の軸方向移動が巻真３９に波及することを防止するための工夫を要することがなく、巻真３９と竜頭軸３２との接続を簡単なねじ込み構造で行うことができる。このため、巻真３９に対する加工コストを低減できるので、腕時計全体のコスト低減に貢献できる。
【００６１】
その上、巻真３９にねじ軸を採用できるので、腕時計１０の組立てに際して、巻真３９が竜頭３１に予め固定された巻真付き竜頭を用意することに制約されず、巻真３９を竜頭軸３２に後付けすることが可能である。これにより、予めねじ部を最大限長く加工した巻真３９を、腕時計１０の型によって異なる時計外装組立１１の大きさ及びねじロック状態を得るのに必要な寸法等に適合させて、必要な長さに切断して、竜頭軸３２にねじ込んで接続できる。したがって、製造上において、巻真３９の汎用性が増して多種類の腕時計１０に共有して使用可能となるとともに、それに応じて腕時計１０全体のコスト低減に貢献できる。
【００６２】
既述のようにねじロックが解除された状態では、竜頭軸３２の回転力受け部３２ｂの各歯３６が、竜頭ヘッド３３の内周面４６に内接するようになっている。つまり、各歯３６が内周面４６に軽微に接するか極めて接近している。これにより、回転力受け部３２ｂで竜頭ヘッド３３をその内側から支持できる。
【００６３】
そのため、竜頭３１に対するねじロックを解除するに伴い、コイルばね３５の付勢力で竜頭ヘッド３３が胴１４から離れる方向に移動される場合、及び竜頭３１に対するねじロックが解除された状態からねじロック状態とするのに竜頭ヘッド３３がコイルばね３５の付勢力に抗して胴１４に向けて移動される場合に、回転力受け部３２ｂで竜頭ヘッド３３の移動をガイドできる。したがって、竜頭ヘッド３３をぐらつかないように安定させてその軸方向に移動させることができる。
【００６４】
しかも、竜頭３１に対するねじロックが解除された状態から雄ねじ部２４に対する雌ねじ部４３の噛み合いが開始されるまでは、既述のようにねじリング３４が竜頭軸３２の挿入部位２５に外接されるように配置されている。言い換えれば、ねじリング３４にパイプ２１の挿入部位２５が挿入されて、ねじリング３４がその内側から挿入部位２５でガイドされるようになる。このことにおいても、竜頭ヘッド３３をぐらつかないように安定させて、竜頭ヘッド３３をその軸方向に移動させることができる。
【００６５】
以上のように竜頭軸３２の回転力受け部３２ｂとパイプ２１の挿入部位２５とで、竜頭ヘッド３３をぐらつかないように安定させて、竜頭ヘッド３３をその軸方向に移動させることができる。これにより、竜頭３１をねじロック状態とするときには、ねじリング３４の雌ねじ部４３がパイプ２１の雄ねじ部２４に無理やり噛み込むことが抑制されて、パイプ２１の雄ねじ部２４に対するねじリング３４の雌ねじ部４３の噛み合わせを適正に開始させることができる。
【００６６】
次に、前記竜頭３１を製造する手順を説明する。
【００６７】
まず、竜頭軸３２と、竜頭ヘッド３３と、ねじリング３４、及び加工の必要がないコイルばね３５を用意する。
【００６８】
ねじリング３４は、図示しないリング形の素材の内周に対してねじ切り加工をして得る。この加工により雌ねじ部４３を形成できる。この場合、竜頭ヘッド３３とは別の部品であるリング形素材を用いたので、この素材の幅に応じた雌ねじ部４３の有効長さを最大に確保できる。
【００６９】
竜頭軸３２は、その図示しない竜頭軸素材に対して複数の歯３６を設ける等の必要な加工をして得る。竜頭軸素材は、軸主部及びこの軸主部の一端部外周から外側に一体に張り出す円形の軸端部を有している。軸主部に対しては、防水パッキン４０を取付けるための環状凹部、ねじ穴３７、及びばね収容穴３８が切削加工される。軸端部の外周部に対しては、竜頭軸素材の軸方向に移動される図示しない加工部材により複数の歯３６がシェーパーを用いた切削やプレスを用いた打ち抜きにより加工される。
【００７０】
竜頭ヘッド３３は、ヘッド素材に対して必要な加工をして得る。図６に示すようにヘッド素材５１は、一端が開放されたヘッド本体４１の他端が閉鎖部４２で閉じられていて、ヘッド本体４１の内周に加工凸部５２を設け、かつ、この加工凸部５２を境に第１空間５３と第２空間５４をヘッド本体４１内に有している。加工凸部５２はヘッド本体４１の内周に周方向に連続する円環状をなしている。第１空間５３は、加工凸部５２の最大径、つまり、突出基部を通って描かれる円の径と同径以上の円形の内周面４６で区画されていて、加工凸部５２と閉鎖部４２との間に形成されている。第２空間５４は、加工凸部５２の最大径以上の円形のリング装着面４５で区画されていて、加工凸部５２とヘッド本体４１の開放された一端４１ｂとの間に形成されている。
【００７１】
ヘッド素材５１の加工は加工凸部５２に対して行われる。加工凸部５２ヘの加工では、第２空間５４から加工凸部５２を通って第１空間５３に至る図示しない加工部材により、複数の歯４４ａを加工凸部５２に加工して、回転力受け部３２ｂに着脱可能に嵌合される形状の回転力伝達部４４を形成する。この場合、歯４４ａはシェーパーを用いた切削やプレスを用いた打ち抜きにより加工される。なお、図６中二点鎖線は、加工凸部５２に対する加工深さを示している。
【００７２】
この加工では、竜頭ヘッド３３となるヘッド素材５１の構成により、加工凸部５２に複数の歯４４ａを加工する加工部材が、加工凸部５２を通る抜けることを、リング装着面４５及び内周面４６が妨げることがないので、竜頭ヘッド３３が有する回転力伝達部４４の加工性を向上できる。加えて、ねじリング３４は竜頭ヘッド３３とは一体ではなく竜頭ヘッド３３に取付けられるものであるから、ヘッド素材５１に対して回転力伝達部４４を加工する際に、ねじリング３４は邪魔にならない。
【００７３】
このため、ヘッド素材５１の他端が閉鎖部４２で閉じられているにも拘わらず、量産性に適するシェーパーを用いた加工又プレスを用いた打ち抜き加工によって、加工凸部５２に回転力伝達部４４を容易に加工できるとともに、この回転力伝達部４４の歯４４ａを精度良く加工できる。
【００７４】
次に、用意された竜頭軸３２と、竜頭ヘッド３３と、ねじリング３４、及びコイルばね３５を組立てる。
【００７５】
まず、竜頭ヘッド３３の閉鎖部４２と竜頭軸３２との間にコイルばね３５を圧縮状態に挟みながら、竜頭ヘッド３３を竜頭軸３２に被せる。それにより、回転力受け部３２ｂを第１空間５３に収める。この後、ねじリング３４を竜頭ヘッド３３の第２空間５４に圧入して、リング装着面４５にねじリング３４を装着する。
【００７６】
（第２実施形態）
図８を参照して本発明の第２実施形態を説明する。この第２実施形態は、基本的には第１実施形態と同じである。このため、第１実施形態と同じ部分については第１実施形態と同一符号を付してその説明を省略し、以下、第１実施形態とは異なる部分について説明する。
【００７７】
第２実施形態では、回転力受け部３２ｂの外周部に設けられた第１係合部位３６が、正多角形状具体的には正八角形状に形成されているとともに、これに応じて、回転力受け部３２ｂに着脱可能に嵌合する回転力伝達部４４に設けられた第２係合部位４４ａも、正多角形状具体的には正八角形状に形成されている。この点以外は、図８に示されない構成を含めて第１実施形態と同じである。
【００７８】
したがって、この第２実施形態の腕時計１０でも、第１実施形態と同じ作用を得て本発明が解決しようとする課題を解決できる。
【図面の簡単な説明】
【００７９】
【図１】本発明の第１実施形態に係る腕時計を示す正面図。
【図２】図１中Ｆ２−Ｆ２線に沿って竜頭のねじロック状態を示す断面図。
【図３】図１中Ｆ２−Ｆ２線に沿って竜頭のねじロック状態が解除された状態を示す断面図
【図４】図３中Ｆ４−Ｆ４線に沿って断面図。
【図５】図１の腕時計が備える竜頭ヘッドを示す正面図。
【図６】図１の腕時計が備える竜頭ヘッドを形成するヘッド素材を示す断面図。
【図７】図１の腕時計が備えるねじリングを示す断面図。
【図８】本発明の第２実施形態に係る腕時計が備える竜頭を示す図４相当の断面図。
【符号の説明】
【００８０】
１３…時計ムーブメント
１４…胴
２１…パイプ
２１ａ…パイプ端部
２４…雄ねじ部
２５…挿入部位
３１…竜頭
３２…竜頭軸
３２ａ…挿入軸部
３２ｂ…回転力受け部（竜頭ガイド）
３３…竜頭ヘッド
３４…ねじリング
３５…コイルばね
３６…歯（第１係合部位）
３９…巻真
４１…ヘッド本体
４１ｂ…ヘッド本体の一端
４２…閉鎖部
４３…雌ねじ部
４４…回転力伝達部
４４ａ…歯（第２係合部位）
４５…リング装着面
４６…内周面
５１…ヘッド素材
５２…加工凸部
５３…第１空間
５４…第２空間
【図１】
0004937013.tif 000002
【図２】
0004937013.tif 000003
【図３】
0004937013.tif 000004
【図４】
0004937013.tif 000005
【図５】
0004937013.tif 000006
【図６】
0004937013.tif 000007
【図７】
0004937013.tif 000008
【図８】
0004937013.tif 000009